【手続補正書】
【提出日】平成25年11月29日(2013.11.29)
【手続補正１】
【補正対象書類名】特許請求の範囲
【補正対象項目名】全文
【補正方法】変更
【補正の内容】
【特許請求の範囲】
【請求項１】
測定光を照射した被検査物からの戻り光と、該測定光に対応する参照光とを合波した光に基づいて前記被検査物の断層画像を取得する光断層撮像装置であって、
前記測定光の光路長を変更する測定光光路長変更手段と、
前記断層画像の撮像範囲の大きさの指示を受け付ける表示形態を表示手段に表示させる表示制御手段と、
前記表示形態が受け付けた指示に応じて、前記測定光光路長変更手段を制御する制御手段と、
を有することを特徴とする光断層撮像装置。
【請求項２】
前記表示形態は、操作手段に対する操作による前記指示を受け付けることを特徴とする請求項１に記載の光断層撮像装置。
【請求項３】
前記操作手段は、マウスであることを特徴とする請求項２に記載の光断層撮像装置。
【請求項４】
前記表示形態は、スライダであり、
前記制御手段が、前記スライダの移動に応じて、前記測定光光路長変更手段を制御することを特徴とする請求項１乃至３のいずれか１項に記載の光断層撮像装置。
【請求項５】
前記表示形態は、選択が可能な複数のボタンであり、
前記制御手段は、前記複数のボタンのうちいずれか一つの選択に応じて、前記測定光光路長変更手段を制御することを特徴とする請求項１乃至３のいずれか１項に記載の光断層撮像装置。
【請求項６】
前記測定光光路長変更手段は、前記測定光の光路を含む光学部を前記被検査物に対して移動する光学部移動機構を有し、
前記制御手段が、前記表示形態が受け付けた指示に応じて、前記光学部移動機構を制御することを特徴とする請求項１乃至５のいずれか１項に記載の光断層撮像装置。
【請求項７】
前記参照光の光路長を変更する参照光光路長変更手段を更に有し、
前記制御手段が、前記表示形態が受け付けた指示に応じて、前記測定光光路長変更手段と前記参照光光路長変更手段とを連動させて制御することを特徴とする請求項１乃至６の何れか一項に記載の光断層撮像装置。
【請求項８】
前記被検査物に対して前記測定光を合焦する合焦レンズを光路に沿って移動する移動手段を更に有し、
前記制御手段が、前記表示形態が受け付けた指示に応じて、前記測定光光路長変更手段と前記移動手段とを連動させて制御することを特徴とする請求項１乃至７の何れか一項に記載の光断層撮像装置。
【請求項９】
前記被検査物は、被検眼の前眼部であることを特徴とする請求項１乃至８の何れか一項に記載の光断層撮像装置。
【請求項１０】
前記前眼部に対して前眼部観察光を合焦する前眼部観察用の合焦レンズと、前記前眼部観察用の合焦レンズを光路に沿って移動する前眼部観察用の移動手段とを有し、前記前眼部を観察する前眼部観察手段を有し、
前記制御手段は、前記表示形態が受け付けた指示に応じて、前記測定光光路長変更手段と前記前眼部観察用の移動手段とを連動させて制御することを特徴とする請求項９に記載の光断層撮像装置。
【請求項１１】
測定光を照射した被検査物からの戻り光と、該測定光に対応する参照光とを合波した光に基づいて前記被検査物の断層画像を取得する光断層撮像装置であって、
前記測定光の光路長を変更する測定光光路長変更手段と、
前記断層画像の撮像範囲の大きさを指示する指示手段と、
前記指示手段による指示に応じて、前記測定光光路長変更手段を制御する制御手段と、
を有することを特徴とする光断層撮像装置。
【請求項１２】
前記制御手段は、前記撮像範囲を狭くする指示の場合には前記測定光の光路長を短くするように、前記撮像範囲を広くする場合には前記測定光の光路長を長くするように、前記測定光光路長変更手段を制御する、ことを特徴とする請求項１乃至１１の何れか一項に記載の光断層撮像装置。
【請求項１３】
測定光を照射した被検査物からの戻り光と、該測定光に対応する参照光とを合波した光に基づいて前記被検査物の断層画像を取得する光断層撮像装置の制御方法であって、
前記断層画像の撮像範囲の大きさの指示を受け付ける表示形態を表示手段に表示させる工程と、
前記表示形態が受け付けた指示に応じて、前記測定光の光路長を変更する工程と、
を有することを特徴とする光断層撮像装置の制御方法。
【請求項１４】
前記表示形態は、操作手段に対する操作による前記指示を受け付けることを特徴とする請求項１３に記載の光断層撮像装置の制御方法。
【請求項１５】
前記操作手段は、マウスであることを特徴とする請求項１４に記載の光断層撮像装置の制御方法。
【請求項１６】
前記表示形態は、スライダであり、
前記測定光の光路長の変更は、前記スライダの移動に応じて行なわれることを特徴とする請求項１３乃至１５の何れか一項に記載の光断層撮像装置の制御方法。
【請求項１７】
前記表示形態は、選択が可能な複数のボタンであり、
前記測定光の光路長を変更は、前記複数のボタンのうちいずれか一つの選択に応じて行なわれることを特徴とする請求項１３乃至１５の何れか一項に記載の光断層撮像装置の制御方法。
【請求項１８】
前記測定光の光路長の変更は、前記測定光の光路を含む光学部を前記被検査物に対して移動することで行なわれ、
前記光学部を移動する工程は、前記表示形態が受け付けた指示に応じて行われることを特徴とする請求項１３乃至１７の何れか一項に記載の光断層撮像装置の制御方法。
【請求項１９】
前記測定光の光路長を変更する工程において、前記表示形態が受け付けた指示に応じて、前記測定光の光路長の変更と前記参照光の光路長の変更とが連動させて行なわれることを特徴とする請求項１３乃至１８の何れか一項に記載の光断層撮像装置の制御方法。
【請求項２０】
前記測定光の光路長を変更する工程において、前記表示形態が受け付けた指示に応じて、前記測定光の光路長の変更と前記被検査物に対して前記測定光を合焦する合焦レンズを光路に沿った移動とが連動させて行われることを特徴とする請求項１３乃至１９の何れか一項に記載の光断層撮像装置の制御方法。
【請求項２１】
前記被検査物は、被検眼の前眼部であることを特徴とする請求項１３乃至２０の何れか一項に記載の光断層撮像装置の制御方法。
【請求項２２】
前記前眼部に対して前眼部観察光を合焦する前眼部観察用の合焦レンズを光路に沿って移動させて、前記前眼部を観察する工程を有し、
前記測定光の光路長を変更する工程において、前記表示形態が受け付けた指示に応じて、前記測定光の光路長の変更と前記前眼部観察用の合焦レンズの移動とが連動させて行われることを特徴とする請求項２１に記載の光断層撮像装置の制御方法。
【請求項２３】
測定光を照射した被検査物からの戻り光と、該測定光に対応する参照光とを合波した光に基づいて前記被検査物の断層画像を取得する光断層撮像装置の制御方法であって、
前記断層画像の撮像範囲の大きさの指示を受け付ける工程と、
前記指示に応じて、前記測定光の光路長を変更する工程と、
を有することを特徴とする光断層撮像装置の制御方法。
【請求項２４】
前記光路長を変更する工程は、前記撮像範囲を狭くする指示を受け付けた場合には前記測定光の光路長を短くするように、前記撮像範囲を広くする指示を受け付けた場合には前記測定光の光路長を長くするように、行われる、ことを特徴とする請求項１３乃至２３の何れか一項に記載の光断層撮像装置。
【請求項２５】
請求項１３乃至２４の何れか一項に記載の光断層撮像装置の制御方法の各工程をコンピュータに実行させることを特徴とするプログラム。